(57)【特許請求の範囲】
【請求項１】
裏面が貼着面となった貼着シートの表面に、表面に配送情報印字部を有する印字シートを接着剤で接着してなる配送票を、印字時の移送方向に複数連接してなる印字用配送票であって、前記貼着シートと前記印字シートの接着面の少なくとも一方の所定部分には、この接着面の周縁の少なくとも移送方向に直交する二辺に沿って間隔をおいて存する複数の非設置部分を形成した接着剤遮蔽層を設けて前記接着面を剥離可能となすとともに、移送方向に隣接する各配送票において互いの連接辺に沿って設けた接着剤遮蔽層の非設置部分同士を、移送方向と直交する方向に相対的にずらして形成したことを特徴とする印字用配送票。
【請求項２】
裏面が貼着面となった貼着シートの表面に、表面に配送情報印字部を有する印字シートを接着剤で接着してなる配送票を、印字時の移送方向に複数連接してなる印字用配送票であって、前記貼着シートと前記印字シートの接着面の少なくとも一方の所定部分には、この接着面の周縁の少なくとも移送方向に直交する二辺に沿って間隔をおいて存する複数の非設置部分を形成した接着剤遮蔽層を設けて前記接着面を剥離可能となすとともに、各配送票における前記二辺に沿って設けた接着剤遮蔽層の非設置部分同士を、移送方向と直交する方向に相対的にずらして形成したことを特徴とする印字用配送票。
【請求項３】
印字シートの幅方向の長さを貼着シートよりも短く形成して、前記貼着シートの表面が露出するようになし、この露出部分に配送情報印字部を設けたことを特徴とする請求項１または請求項２記載の印字用配送票。
【請求項４】
印字時の移送方向と直交する方向に相対的にずらして形成した接着剤遮蔽層の非設置部分同士を、その間隔部分が移送方向において部分的にも重ならないように設けたことを特徴とする請求項１、請求項２、請求項３のいずれか１項記載の印字用配送票。
【発明の詳細な説明】
【０００１】
【産業上の利用分野】
本発明は、裏面が貼着面となった貼着シートの表面に、表面に配送情報印字部を有する印字シートを接着剤で接着してなる配送票を、印字時の移送方向に複数連接してなる印字用配送票に関し、より詳細には、貼着シートと印字シートの接着面の所定部分に、非設置部分を形成した接着剤遮蔽層を設けて、前記貼着シートに対して前記印字シートを少なくとも部分的に剥離可能とした印字用配送票に関する。
【０００２】
【従来の技術】
従来から各種の配送票が存在するが、表面に所定の配送情報が印字されて配達票等の配送伝票となる印字シートを、貼着シートの表面に剥離可能に設けてなる配送票としては、剥離可能に疑似接着した２枚の樹脂フイルムを介して貼着シートと印字シートとを接着し、前記２枚の樹脂フイルムの疑似接着面から前記貼着シートと前記印字シートとを剥離するように構成した配送票が知られている。
【０００３】
【発明が解決しようとする課題】
ところが、上述した従来にあっては、２枚の樹脂フイルムが介在するので厚みが増し、取扱が困難であって、特に印字シートに対する印字動作を円滑に行うことは困難であるという不都合があった。本発明はこのような不都合を解消した印字用配送票を提供することを目的とする。
【０００４】
【課題を解決するための手段】
上述した目的を達成するために本発明の印字用配送票は、裏面が貼着面となった貼着シートの表面に、表面に配送情報印字部を有する印字シートを接着剤で接着してなる配送票を、印字時の移送方向に複数連接してなる印字用配送票であって、前記貼着シートと前記印字シートの接着面の少なくとも一方の所定部分には、この接着面の周縁の少なくとも移送方向に直交する二辺に沿って間隔をおいて存する複数の非設置部分を形成した接着剤遮蔽層を設けて前記接着面を剥離可能となすとともに、移送方向に隣接する各配送票において互いの連接辺に沿って設けた接着剤遮蔽層の非設置部分同士を、移送方向と直交する方向に相対的にずらして形成したものである。
【０００５】
また、裏面が貼着面となった貼着シートの表面に、表面に配送情報印字部を有する印字シートを接着剤で接着してなる配送票を、印字時の移送方向に複数連接してなる印字用配送票であって、前記貼着シートと前記印字シートの接着面の少なくとも一方の所定部分には、この接着面の周縁の少なくとも移送方向に直交する二辺に沿って間隔をおいて存する複数の非設置部分を形成した接着剤遮蔽層を設けて前記接着面を剥離可能となすとともに、各配送票における前記二辺に沿って設けた接着剤遮蔽層の非設置部分同士を、移送方向と直交する方向に相対的にずらして形成してもよい。
【０００６】
さらに、上述した各構成の印字用配送票において、印字シートの幅方向の長さを貼着シートよりも短く形成して、前記貼着シートの表面が露出するようになし、この露出部分に配送情報印字部を設けることもできる。
【０００７】
またさらに、印字時の移送方向と直交する方向に相対的にずらして形成した接着剤遮蔽層の非設置部分同士を、その間隔部分が移送方向において部分的にも重ならないように設けると好適である。
【０００８】
【作用】
貼着シートと印字シートの接着面の少なくとも一方の所定部分には、この接着面の周縁の少なくとも移送方向に直交する二辺に沿って間隔をおいて存する複数の非設置部分を形成した接着剤遮蔽層を設けて前記接着面を剥離可能としたので、この非設置部分を形成した接着剤遮蔽層による接着力の調整が容易となり、また、前記非設置部分を移送方向と直交する方向に相対的にずらして形成することにより、移送時に接着剤遮蔽層設置部分にシワが生じた場合でも、このシワが移送方向に連続して延びるのを、前記非設置部分で阻止することができる。
【０００９】
【実施例】
以下、本発明の好適な実施例を添付図面に基づき詳細に説明する。ここにおいて、図１〜図６は第１実施例を示し、図１は配送票の平面図、図２はそのＡ−Ａ線断面図、図３は所定事項を印字した配送票の平面図、図４は配送品に貼着した配送票を示す断面図、図５は剥離した配達票兼受領票の裏面側を示す平面図、図６は配達票兼受領票を剥離した配送票を示す平面図である。また、図７は第２実施例を示すもので配達票兼受領票の裏面側を示す平面図、さらに図８は第３実施例を示すもので配送票の断面図である。
【００１０】
まず、図１〜図６に基づき第１実施例を説明する。図１及び図２に示すように、配送票１は、裏面が貼着面となった貼着シート２の表面側に、貼付票３と配達票兼受領票４とをスリット５で区画形成した印字シート６を接着剤７で接着している。この接着剤７としては、通常の感圧性接着剤や感熱性接着剤を用いればよい。前記配送票１の幅方向両側端である、前記貼付票３と前記配達票兼受領票４のスリット５とは反対側端には、前記貼着シート２にも及ぶ切り用ミシン目８ａ，８ｂと、移送孔９ａ，９ｂとが設けられている。また、前記配送票１は、天地方向に折り兼切り用ミシン目１０を境として多数連接された連続状態にある。
【００１１】
そして、印字シート６の表面である、貼付票３と配達票兼受領票４との表面には、「貼付票」、「配達票兼受領票」なる標題がそれぞれ設けられるとともに、これら標題の下に配送情報印字部たる枠で区画形成された配送情報印字欄１１，１２がそれぞれ設けられている。また、前記配達票兼受領票４の表面には、切り用ミシン目８ｂに沿った右上隅部に三角形状の切り取り部分を形成するようスリット２３が斜めに設けられ、このスリット２３に向けた矢印と「ここからはがして下さい」という文章からなる剥離開始端表示１３が設けられている。
【００１２】
一方、図２及び図５で理解できるように、配達票兼受領票４の裏面である印字シート６と貼着シート２との接着面には接着剤遮蔽層１４が設けられ、この配達票兼受領票４は貼着シート２に対して剥離可能となっている。この接着剤遮蔽層１４は、前記配達票兼受領票４の裏面に通常の印刷インキをベタ印刷して形成したものである。また、剥離開始端となる切り用ミシン目８ｂ側を除いた三周縁に沿って、所定間隔をおいて並ぶベタ印刷を施さない四角形状の非設置部１５，１５ａ，１５ｂを設け、幅方向に延びる非設置部１５ａ，１５ｂ同士は、互いの間隔部分が印字時の移送方向において部分的にも重ならないように、移送方向と直交する方向に相対的にずらして設けられている。
【００１３】
したがって、前記接着剤遮蔽層１４に対応する部分では接着剤７の接着力が弱化する一方、前記非設置部１５，１５ａ，１５ｂに対応する接着剤７は通常の接着力を維持する。そして、配達票兼受領票４において移送方向に延びる線を引けば、幅方向両端部を除いたほとんどのものが前記各非設置部１５ａ，１５ｂのいずれかと交わることになる。
【００１４】
また、図６に示すように、貼着シート２にも、その表面である配達票兼受領票４との接着面に、剥離開始端に対応する部分に接着剤遮蔽層１４と同様に形成した接着剤遮蔽層１６を設け、また、問い合わせ先表示１７を印刷して、これらに対応する部分での接着剤７の接着力を弱化させている。これら接着剤遮蔽層１４，１６及び問い合わせ先表示１７を設けることによって、接着剤７の接着力を調整し、前記配達票兼受領票４は前記貼着シート２に対して容易、かつ確実に剥離可能となる一方、非設置部１５，１５ａ，１５ｂの存在によって無用な剥離を防止している。
【００１５】
各接着剤遮蔽層１４，１６及び問い合わせ先表示１７は、貼着シート２または配達票兼受領票４の接着面の一方にのみ接着剤７を塗布する場合には、接着剤７の非塗布面あるいは塗布した接着剤表面の少なくとも一方に設ければよく、前記接着面の双方に接着剤７を塗布する場合には、塗布した接着剤表面に設ければよい。なお、接着剤遮蔽層１４を有色インキで形成すると、貼付票３と配達票兼受領票４との識別が容易となるほか、前記配達票兼受領票４表面側からの透過を防止して前記貼着シート２の表面に設けた情報を視認しにくくし、また、前記配達票兼受領票４表面に表示した情報が見易いという利点がある。この利点は、特に配達票兼受領票４が透過性を有する場合に有効である。
【００１６】
本実施例は以上のように構成したので、移送孔９ａ，９ｂを利用して連続状態にある配送票１を移送しながら、図３に示すように、適宜なプリンタにより所定の届先情報１８，１９を各配送情報印字欄１１，１２に印字するとともに、配達票兼受領票４の配送情報記入欄１２には「印」の文字を印字して受領印捺印部２０を形成し、各切り用ミシン目８ａ，８ｂを切断除去するとともに、折り兼切り用ミシン目１０を切断して単片化すると使用可能状態となる。この印字の際に、貼着シート２とほぼ非接着状態にある配達票兼受領票４の接着剤遮蔽層１４設置部分に、移送方向にシワが形成されても、シワは接着部分である非設置部１５ａ，１５ｂに当接することにより、それ以上移送方向に延びることを阻止される。
【００１７】
そして、図４に示すように、貼着面である貼着シート２の裏面に別途用意した接着剤２１を塗布すれば、所定の配送品２２に貼着することができる。ここで、貼付票３は、貼着シート２とともに配送品２０に確実に接着された状態を維持する一方、配達票兼受領票４は、スリット２３で形成される切り取り部分に指を掛けて、ここから捲り上げると、この部分には各接着剤遮蔽層１４，１６が対応位置しているから容易、かつ円滑に前記貼着シート２から剥離し、通常の配達票兼受領票と同様に使用することができる。そして、剥離した前記配達票兼受領票４は、配送品２２の届け先において、受領印捺印部２０に受領印を捺印してもらい、受領票としても機能する。
【００１８】
続いて、第２実施例を図７に基づいて説明する。本実施例が上述した第１実施例と相違するのは、配達票兼受領票３１ａ，３１ｂの裏面に設けた接着剤遮蔽層３２の非設置部３４ａ，３４ｂの設置パターンである。すなわち、折り兼切り用ミシン目３３を介して移送方向に隣接する各配達票兼受領票３１ａ，３１ｂにおいて、前記折り兼切り用ミシン目３３で形成される連接辺に沿って設けた非設置部３４ａ，３４ｂ同士を、互いの間隔部分が印字時の移送方向において部分的にも重ならないように、移送方向と直交する方向に相対的にずらして形成したものである。本実施例では、各配達票兼受領票３１ａ，３１ｂにおける非設置部３４ａ，３４ｂは移送方向に重なっているが、連接辺に沿って設けた非設置部３４ａ，３４ｂ同士が、互いに移送方向にずれることにより、互いの間隔部分が印字時の移送方向において部分的にも重ならないように構成している。
【００１９】
本実施例においても、隣接する各配達票兼受領票３１ａ，３１ｂにおいて移送方向に延びる線を引けば、幅方向両端部を除いたほとんどのものが各非設置部３４ａ，３４ｂのいずれかと交わることになる。したがって、印字の際に、貼着シートとほぼ非接着接着状態にある配達票兼受領票３１ａ，３１ｂの接着剤遮蔽層３２設置部分に、移送方向にシワが形成されても、シワは接着部分である非設置部３４ａ，３４ｂに当接することにより、それ以上移送方向に延びることを阻止される。なお、その他の構成及び作用効果は上述した第１実施例と同様であるから、その詳細な説明は省略する。
【００２０】
続いて、図８に基づき第３実施例を説明する。本実施例の配送票４１が第１実施例と相違するのは、印字シート４２の幅方向の長さを貼着シート４３よりも短く形成して配達票兼受領票を構成し、前記貼着シート４３の表面が露出するようになし、この露出部分に第１実施例の配送情報印字欄１１と同様に構成した配送情報印字欄（図示せず）を設けて貼付票を構成した点と、前記貼着シート４３の貼着面である裏面には、粘着剤４４を塗布するとともに剥離紙４５で被覆した点である。接着剤４６、接着剤遮蔽層４７，４８及びその非設置部４９、切り用ミシン目５０ａ，５０ｂ、移送孔５１ａ，５１ｂをはじめとして、その他の構成は第１実施例と同様であるから、その説明は省略する。
【００２１】
本実施例においては、剥離紙４５を剥離すれば、露出した粘着剤４４によって、貼着シート４３を配送品（図示せず）に接着することができる。その他の作用効果は上述した第１実施例と同様であるから、その詳細な説明は省略する。
【００２２】
なお、本発明は上述した各実施例に限定されるものではなく、例えば、貼付票３と配達票兼受領票４は、印字シート６にスリット５を設けて区画形成するほか、別体の紙片を貼着シート２上に並設して接着することにより構成してもよい。また、配達票兼受領票４，３１ａ，３１ｂを、受領票を兼ねることなく、配達票としての機能のみを有するよう構成してもよい。さらに、接着剤７，４６の接着力は、通常の剥離困難な接着力に設定するほか、接着力を通常よりも弱めて設定してもよいものである。加えて、印字シート６に形成する配送伝票は、貼付票３と配達票兼受領票４に限らない。
【００２３】
またさらに、接着剤遮蔽層１４，３２，４７は、着色剤を含まない印刷インキを用いてもよく、また、ベタ印刷のほかスクリーン印刷で形成してもよい。さらに、接着剤遮蔽層１４，３２，４７の非設置部１５，１５ａ，１５ｂ，３４ａ，３４ｂ，４９は、配達票兼受領票４，３１ａ，３１ｂの三周縁に沿って設ける構成に限らず、少なくとも移送方向と直交する二辺に沿って設ければよいものである。そして、配達票兼受領票４，３１ａ，３１ｂのより円滑な剥離動作を行うためには、これら非設置部１３，４６，４７を剥離開始端の少なくともコーナー部には設けないことが望ましい。さらにまた、配送票１，４１は、移送方向に少なくとも２枚連接していればよいほか、幅方向に２組あるいは３組を連接してもよい。
【００２４】
【発明の効果】
以上説明したところで明らかなように、本発明によれば、貼着シートと印字シートの接着面の少なくとも一方の所定部分には、この接着面の周縁の少なくとも移送方向に直交する二辺に沿って間隔をおいて存する複数の非設置部分を形成した接着剤遮蔽層を設けて剥離可能としたので、この非設置部分を形成した接着剤遮蔽層による接着力の調整が容易となり、印字して形成した所定の配送伝票を貼着シートから容易に剥離可能であるとともに、不用意に剥離することがなくなり、さらには、前記非設置部分を移送方向と直交する方向に相対的にずらして形成することにより、移送時に接着剤遮蔽層設置部分にシワが生じた場合でも、このシワが移送方向に連続して延びるのを、前記非設置部分で阻止することができ、印字動作に支障が生じるのを防ぐとともに、不良品が多数発生するのを防ぐことができるという効果を奏する。
【図面の簡単な説明】
【図１】第１実施例の配送票を示す平面図。
【図２】図１のＡ−Ａ線断面図。
【図３】同実施例の所定事項を記入した配送票の平面図。
【図４】同実施例の配送品に貼着した配送票を示す断面図。
【図５】同実施例の剥離した配達票兼受領票の裏面を示す平面図。
【図６】同実施例の配達票兼受領票を剥離した配送票を示す平面図。
【図７】第２実施例の配達票兼受領票の裏面側を示す平面図。
【図８】第３実施例の配送票を示す断面図。
【符号の説明】
１，４１      配送票
２，４３      貼着シート
３      貼付票
４，３１ａ，３１ｂ      配達票兼受領票
６，４２      印字シート
５，２３      スリット
７，４６      接着剤
１０      切り用ミシン目
１１，１２      配送情報印字欄
１４，１６，３２，４７      接着剤遮蔽層
１５，１５ａ，１５ｂ，３４ａ，３４ｂ，４９      非接着部
１７      問い合わせ先表示
２１      接着剤
２２      配送品
４４      粘着剤
４５      剥離紙
【図１】
0003595021.tif 000002
【図２】
0003595021.tif 000003
【図３】
0003595021.tif 000004
【図４】
0003595021.tif 000005
【図５】
0003595021.tif 000006
【図６】
0003595021.tif 000007
【図７】
0003595021.tif 000008
【図８】
0003595021.tif 000009